(57)【要約】【課題】消費電力を低減させる。【解決手段】実施形態の輝度制御装置は、複数の表示手段と、特定手段と、制御手段と、を備える。複数の制御手段は、輝度の調節が可能な表示画面をそれぞれ有する。特定手段は、アプリケーションの表示先が、複数の前記表示手段のうちいずれか１つ以上であることを特定する。制御手段は、表示された前記アプリケーションの性質に基づいて、特定手段により特定された、表示手段の前記表示画面について個別に輝度制御する。【選択図】図３
2012013942.tif 000002
【特許請求の範囲】
【請求項１】
輝度の調節が可能な表示画面をそれぞれ有する複数の表示手段と、
アプリケーションの表示先が、複数の前記表示手段のうちいずれか１つ以上であることを特定する特定手段と、
表示された前記アプリケーションの性質に基づいて、前記特定手段により特定された、前記表示手段の前記表示画面について個別に輝度制御する制御手段と、
を備えることを特徴とする輝度制御装置。
【請求項２】
前記特定手段は、前記アプリケーションの表示先として複数の前記表示手段のうちいずれか１つを特定し、
前記制御手段は、表示された前記アプリケーションの性質に基づいて、表示先である前記表示手段の表示画面のみ輝度制御すること、
を特徴とする請求項１に記載の輝度制御装置。
【請求項３】
前記特定手段は、複数の前記表示手段を前記アプリケーションの表示先として取得し、
前記制御手段は、表示された前記アプリケーションの性質に基づいて、表示先のうち複数の前記表示手段のいずれか１つの表示画面に対して輝度制御すること、
を特徴とする請求項１に記載の輝度制御装置。
【請求項４】
前記表示手段に対して表示する前記アプリケーションの所定の動作と、当該動作が実行された場合に前記表示手段の表示画面に対して行う輝度制御と、対応付けた記憶手段をさらに備え、
前記制御手段は、前記アプリケーションの所定の機能が表示された前記表示手段の表示画面に対して、前記所定の機能と前記記憶手段で対応付けられた輝度制御を行うこと、
を特徴とする請求項１乃至３のいずれか１つに記載の輝度制御装置。
【請求項５】
前記所定の動作と、当該動作が実行された場合に行う輝度制御と、を対応付けて前記記憶手段に対して設定する設定手段を、
さらに備えることを特徴とする請求項１乃至４のいずれか１つに記載の輝度制御装置。
【請求項６】
前記輝度制御装置に対して電力を供給している電源の残量を示す残量情報を取得する電源情報取得手段を、さらに備え、
前記制御手段は、前記残量情報に基づいて、前記アプリケーションの表示先である、前記表示手段の前記表示画面について個別に輝度制御すること、
を特徴とする請求項１乃至５のいずれか１つに記載の輝度制御装置。
【請求項７】
前記表示手段の表示画面に対する、入力を受け付ける受付手段を、さらに備え、
前記制御手段は、前記表示画面の輝度を制御した後、前記受付手段が入力を受け付けた場合に、輝度制御された前記表示画面に対して、再び輝度制御を行うこと、
を特徴とする請求項１乃至６のいずれか１つに記載の輝度制御装置。
【請求項８】
輝度制御装置で実行される輝度制御方法であって、
前記輝度制御装置が、輝度の調節が可能な表示画面をそれぞれ有する複数の表示手段を備え、
特定手段が、アプリケーションの表示先が、複数の前記表示手段のうちいずれか１つ以上であることを特定する特定ステップと、
制御手段が、表示された前記アプリケーションの性質に基づいて、前記特定手段により特定された、前記表示手段の前記表示画面について個別に輝度制御する制御ステップと、
を有することを特徴とする輝度制御方法。
【請求項９】
前記特定ステップは、前記アプリケーションの表示先として複数の前記表示手段のうちいずれか１つを特定し、
前記制御ステップは、表示された前記アプリケーションの性質に基づいて、表示先である前記表示手段の表示画面のみ輝度制御すること、
を特徴とする請求項８に記載の輝度制御方法。
【請求項１０】
前記特定ステップは、複数の前記表示手段を前記アプリケーションの表示先として取得し、
前記制御ステップは、表示された前記アプリケーションの性質に基づいて、表示先のうち複数の前記表示手段のいずれか１つの表示画面に対して輝度制御すること、
を特徴とする請求項８に記載の輝度制御方法。
【請求項１１】
電源情報取得手段が、前記輝度制御装置に対して電力を供給している電源の残量を示す残量情報を取得する電源情報取得ステップをさらに有し、
前記制御ステップは、前記残量情報に基づいて、前記アプリケーションの表示先である、前記表示手段の前記表示画面について個別に輝度制御すること、
を特徴とする請求項８乃至１０のいずれか１つに記載の輝度制御方法。
【請求項１２】
受付手段が、前記表示手段の表示画面に対する、入力を受け付ける受付ステップをさらに有し、
前記制御ステップは、前記表示画面の輝度を制御した後、前記受付手段が入力を受け付けた場合に、輝度制御された前記表示画面に対して、再び輝度制御を行うこと、
を特徴とする請求項８乃至１１のいずれか１つに記載の輝度制御方法。
【請求項１３】
輝度の調節が可能な表示画面をそれぞれ有する複数の表示手段を備えたコンピュータに対して、
アプリケーションの表示先が、複数の前記表示手段のうちいずれか１つ以上であることを特定する特定ステップと、
表示された前記アプリケーションの性質に基づいて、前記特定手段により特定された、前記表示手段の前記表示画面について個別に輝度制御する制御ステップと、
を実行させるための輝度制御プログラム。
【請求項１４】
前記特定ステップは、前記アプリケーションの表示先として複数の前記表示手段のうちいずれか１つを特定し、
前記制御ステップは、表示された前記アプリケーションの性質に基づいて、表示先である前記表示手段の表示画面のみ輝度制御すること、
を特徴とする請求項１３に記載の輝度制御プログラム。
【請求項１５】
前記特定ステップは、複数の前記表示手段を前記アプリケーションの表示先として取得し、
前記制御ステップは、表示された前記アプリケーションの性質に基づいて、表示先のうち複数の前記表示手段のいずれか１つの表示画面に対して輝度制御すること、
を特徴とする請求項１３に記載の輝度制御プログラム。
【発明の詳細な説明】
【技術分野】
【０００１】
本発明の実施形態は、輝度制御装置、輝度制御方法、及び輝度制御プログラムに関する。
【背景技術】
【０００２】
従来から、コンピュータにおいて、消費電力を削減するために様々な手法が提案されている。例えば、コンピュータにおいて一定時間入力がない場合に省電力モードに移行する例がある。
【０００３】
ところで、近年、コンピュータで行うべき作業の増大とともに、作業スペースであるディスプレイをさらに広くしてほしいという要求がある。このような要求に応えるために、複数のディスプレイを備えたコンピュータも提供され始めている。このように複数のディスプレイを備えている場合に、利用時間を長くするためには、どのように消費電力を削減するのかがポイントとなる。
【０００４】
このような複数のディスプレイを備えている場合に、消費電力を削減する手法としては、ディスプレイ毎に異なる輝度制御を行う技術が提案されている。
【先行技術文献】
【特許文献】
【０００５】
【特許文献１】特開２０００−１６３０３５号公報
【発明の概要】
【発明が解決しようとする課題】
【０００６】
しかしながら、ディスプレイ毎に異なる輝度制御を行うためには、各ディスプレイで表示されているソフトウェアを考慮する必要があるが、従来技術では、そこまで考慮されていない。
【０００７】
本発明は、上記に鑑みてなされたものであって、適切に輝度制御を行う輝度制御装置、輝度制御方法、及び輝度制御プログラムを提供することを目的とする。
【課題を解決するための手段】
【０００８】
実施形態の輝度制御装置は、複数の表示手段と、特定手段と、制御手段と、を備える。複数の制御手段は、輝度の調節が可能な表示画面をそれぞれ有する。特定手段は、アプリケーションの表示先が、複数の前記表示手段のうちいずれか１つ以上であることを特定する。制御手段は、表示された前記アプリケーションの性質に基づいて、特定手段により特定された、表示手段の前記表示画面について個別に輝度制御する。
【図面の簡単な説明】
【０００９】
【図１】図１は、パーソナルコンピュータの外観を示す図である。
【図２】図２は、パーソナルコンピュータのハードウェア構成を示した図である。
【図３】図３は、第１の実施の形態にかかるパーソナルコンピュータの制御を行うソフトウェア構成を示したブロック図である。
【図４】図４は、起動したソフトウェアキーボードの例を示した図である。
【図５】図５は、動画再生アプリケーションを起動した場合の、表示画面の例を示した図である。
【図６】図６は、設定ファイルに格納された情報のテーブル構造を示した図である。
【図７】図７は、設定ファイルを設定するための設定部が表示する表示画面の例を示した図である。
【図８】図８は、第１の実施の形態にかかるパーソナルコンピュータにおける、ソフトウェアキーボードに関する輝度制御の手順を示すフローチャートである。
【図９】図９は、第１の実施の形態にかかるパーソナルコンピュータにおける、動画再生ソフトウェアに関する輝度制御の手順を示すフローチャートである。
【図１０】図１０は、第２の実施の形態にかかるパーソナルコンピュータにおける、ソフトウェアキーボードに関する輝度制御の手順を示すフローチャートである。
【図１１】図１１は、第３の実施の形態にかかるパーソナルコンピュータにおける、省電力状態から復帰する際の輝度制御の手順を示すフローチャートである。
【発明を実施するための形態】
【００１０】
本実施の形態においては、複数の表示手段を有する輝度制御装置として、ノート型のパーソナルコンピュータ１００を例として説明する。しかしながら、輝度制御装置をパーソナルコンピュータ１００に制限するものではなく、例えば、携帯電話端末や、携帯型ゲーム機など様々な装置に対して適用できる。
【００１１】
本実施の形態にかかるノート型のパーソナルコンピュータ１００は、図１に示すように、矩形状の扁平な第１の本体部１０１と、矩形状の扁平な第２の本体部１０２と、を備えている。これら第１の本体部１０１および第２の本体部１０２は、ジョイント部１０３を介して、相対回動可能に接続されている。
【００１２】
パーソナルコンピュータ１００は、図１に示すように、第１の本体部１０１および第２の本体部１０２を比較的小さく拡開させた状態で、例えば机上に載置される使用形態である。さらに、パーソナルコンピュータ１００は、ジョイント部１０３を相対回転させることで、第１の本体部１０１および第２の本体部１０２を図１よりも比較的大きく拡開させた状態で、例えば使用者が両手で把持する使用形態となる。
【００１３】
第１の本体部１０１には、タッチパネル１０４を配したＬＣＤ等の表示手段を含む第１の液晶タッチパネル装置１０５や、押しボタン機構１０６等が設けられている。一方、第２の本体部１０２には、タッチパネル１０７を配したＬＣＤ等の表示手段を含む第２の液晶タッチパネル装置１０８や、押しボタン機構１０９等が設けられている。
【００１４】
パーソナルコンピュータ１００は、図１に示す展開状態では、第１の液晶タッチパネル装置１０５、第２の液晶タッチパネル装置１０８、及び押しボタン機構１０６、１０９が、ユーザが使用可能な状態となる。
【００１５】
一方、図示しない折り畳み状態では、パーソナルコンピュータ１００は、第１の液晶タッチパネル装置１０５、第２の液晶タッチパネル装置１０８や、押しボタン機構１０６、１０９等が、筐体１０１，１０２によって隠された状態となる。本実施の形態では、第１の液晶タッチパネル装置１０５、及び第２の液晶タッチパネル装置１０８が、入力受付部及び表示部として機能する。さらに、押しボタン機構１０６及び１０９等も、入力受付部として機能する。
【００１６】
ジョイント部１０３は、第１の本体部１０１と第２の本体部１０２とを接続する部品であり、第１の本体部１０１および第２の本体部１０２とは別の部品として構成されている。
【００１７】
ジョイント部１０３は、第１のヒンジ機構１１０Ａおよび第２のヒンジ機構１１０Ｂは相互に連動しており、ジョイント部１０３に対する第１の本体部１０１の回動軸回りの相対回動角度と、ジョイント部１０３に対する第２の本体部１０２の回動軸回りの相対回動角度とが、同じである。ただし、これらのジョイント部１０３に対する相対回動方向は相互に逆である。よって、ユーザが、ジョイント部１０３に対して第１の本体部１０１および第２の本体部１０２のうち一方を開く操作を行うと、パーソナルコンピュータ１００は展開状態となり、閉じる操作を行うと、パーソナルコンピュータ１００は折り畳み状態となる。また、ユーザが、第１の本体部１０１および第２の本体部１０２を開く操作を行うと、パーソナルコンピュータ１００は展開状態となり、閉じる操作を行うと、パーソナルコンピュータ１００は折り畳み状態となる。
【００１８】
図２は、パーソナルコンピュータ１００のハードウェア構成を示した図である。図２に示すように、パーソナルコンピュータ１００は、メインメモリ２０１と、演算装置２０２と、入出力制御機構２０３と、電源装置２０９と、第１の液晶タッチパネル装置１０５と、第２の液晶タッチパネル装置１０８と、記憶装置制御機構２０６と、記憶装置２０７と、ＲＯＭ２０８と、を備える。
【００１９】
記憶装置２０７は、様々なデータを記憶する記憶装置とする。ＲＯＭ（Read  Only  Memory）２０８は、記録されている情報を読み出すことのみ可能なメモリであり、演算装置２０２で実行されるプログラム等を記憶している。
【００２０】
記憶装置制御機構２０６は、演算装置２０２と、ＲＯＭ２０８及び記憶装置２０７と、の間に備えられ、演算装置２０２の命令に従って、ＲＯＭ２０８及び記憶装置２０７からデータ又はプログラムの読み出し、又は記憶装置２０７に対するデータ又はプログラムの書き出しを行う。
【００２１】
演算装置２０２は、パーソナルコンピュータ１００全体を制御する装置であり、ＲＯＭ２０８から読み出されたプログラムを実行し、メインメモリ２０１を作業領域として利用する。
【００２２】
メインメモリ２０１は、読み書き可能なＲＡＭ（Random  Access  Memory）で構成され、演算装置２０２の作業領域として用いられる。
【００２３】
第１の液晶タッチパネル装置１０５、及び第２の液晶タッチパネル装置１０８は、輝度の調節が可能な表示画面をそれぞれ有し、演算装置２０２からの命令に従って、当該表示画面にデータを表示する。また、第１の液晶タッチパネル装置１０５、及び第２の液晶タッチパネル装置１０８は、それぞれが有するタッチパネル１０４、１０７から入力されたデータを、入出力制御機構２０３を介して、演算装置２０２に対して出力する。
【００２４】
電源装置２０９は、充電によって蓄えられた電力を、パーソナルコンピュータ１００に対して供給する。
【００２５】
入出力制御機構２０３は、演算装置２０２と、電源装置２０９、第１の液晶タッチパネル装置１０５、及び第２の液晶タッチパネル装置１０８と、の間に備えられ、演算装置２０２の命令に従って、電源装置２０９、第１の液晶タッチパネル装置１０５、及び第２の液晶タッチパネル装置１０８に対する制御を行う。
【００２６】
次に、演算装置２０２が、ＲＯＭ２０８からプログラムを読み出して、メインメモリ２０１上に展開することで実現する、パーソナルコンピュータ１００の制御を行うソフトウェア構成について説明する。図３が、本実施の形態にかかるパーソナルコンピュータ１００の制御を行うソフトウェア構成を示したブロック図である。
【００２７】
図３に示すように、パーソナルコンピュータ１００では、ソフトウェア構成として、ソフトウェアキーボード３０１と、アプリケーション３０２と、輝度設定ユーティリティ３０３と、ＨＩＤ(Human  Interface  Device)ドライバ３０４と、ＢＩＯＳＩ／Ｆドライバ３０５と、ＢＩＯＳ３０６と、ＥＣ／ＫＢＣ３０７と、を備える。
【００２８】
ソフトウェアキーボード３０１は、第１の液晶タッチパネル装置１０５の表示画面上に表示するキーボード画像とする。そして、ソフトウェアキーボード３０１では、表示された表示画面上のキーがクリックされた場合に、クリックされた位置座標に基づいて、文字入力を実現する。そして、ソフトウェアキーボード３０１は、ユーザからの要求に従って、起動／終了が行われる。
【００２９】
図４は、起動したソフトウェアキーボード３０１の例を示した図である。図４に示すように、第１の液晶タッチパネル装置１０５上にソフトウェアキーボードが表示される。そして、ユーザが当該ソフトウェアキーボードにタッチすることで、タッチパネル１０４が、タッチされた位置座標を認識する。そして、位置座標に従って、文字列が入力されたものとして処理した後、他のアプリケーション等に対して、入力された文字列を受け渡す。これにより、文書アプリケーションに対して、文字入力を行うことができる。
【００３０】
アプリケーション３０２は、パーソナルコンピュータ１００上で動作するソフトウェアとする。アプリケーション３０２の種類は特に制限するものではなく、例えば、文書アプリケーション、画像管理アプリケーションや、動画再生アプリケーションなどが考えられる。そして、これらアプリケーション３０２が起動する際、第１の液晶タッチパネル装置１０５及び第２の液晶タッチパネル装置１０８のいずれか一つ以上に、各アプリケーションの画面が表示される。表示先は、アプリケーションの種類や利用時の態様によって異なるものとする。
【００３１】
図５は、動画再生アプリケーションを起動した場合の、表示画面の例を示した図である。図５に示すように、本実施の形態にかかる動画再生アプリケーションを起動した際、動画の再生を第２の液晶タッチパネル装置１０８の表示画面上で行い、当該動画を再生するための操作画面を第１の液晶タッチパネル装置１０５の表示画面上に表示する。
【００３２】
ＨＩＤドライバ３０４は、マンマシンインタフェースを担当するドライバとする。ＨＩＤドライバ３０４は、キーボード、マウスとポインティング デバイス、ジョイスティック、ゲーム パッド、および他の種類の入力デバイスを操作するためのドライバが含まれている。
【００３３】
ＢＩＯＳ（Basic  Input  Output  System）３０６は、ハードウェア制御のためのプログラムとする。
【００３４】
ＢＩＯＳＩ／Ｆドライバ３０５は、輝度設定ユーティリティ３０３とＢＩＯＳ３０６との間で情報を受け渡すためのインターフェースとして機能する。
【００３５】
そして、ＥＣ／ＫＢＣ（エンベット・コントローラ＆キーボード・コントローラ）３０７は、電源装置２０９、第１の液晶タッチパネル装置１０５、及び第２の液晶タッチパネル装置１０８と通信可能に接続し、これら装置の制御を行うソフトウェアコントローラとする。
【００３６】
輝度設定ユーティリティ３０３は、入力受付部３１１と、電源情報取得部３１２と、制御部３１３と、設定部３１４と、特定部３１５と、を備え、第１の液晶タッチパネル装置１０５及び第２の液晶タッチパネル装置１０８の表示画面について、それぞれ個別に輝度を制御する。
【００３７】
また、輝度設定ユーティリティ３０３は、記憶装置２０７との間で情報を送受信することができる。これにより、輝度設定ユーティリティ３０３は、例えば情報記憶装置２０７に格納されている設定ファイルを参照できる。
【００３８】
図６は、設定ファイルのテーブル構造を示した図である。図６に示すように設定ファイルには、ソフトウェアと、動作と、制御対象と、輝度制御と、が対応づけられている。
【００３９】
ソフトウェアは、輝度制御の対象となるソフトウェアキーボード３０１や、アプリケーション等とする。そして、動作は、ソフトウェアの動作が格納されている。そして、当該動作が行われた際に、輝度の制御が行われることになる。
【００４０】
制御対象は、ソフトウェアが動作した際に、当該ソフトウェアの表示先が複数ある場合に、制御対象を特定する。なお、ソフトウェアの表示先が一つの場合、制御対象を設定する必要はない。この場合、例えば、「−」と設定する。そして、輝度制御は、制御対象に対して行う具体的な制御が示されている。
【００４１】
図６に示す例としては、「ソフトウェアキーボード」が「起動」した場合に、当該「ソフトウェアキーボード」の表示先について、輝度を「下げる」ことが設定されている。
【００４２】
図３に戻り、特定部３１５は、現在表示されているアプリケーションについて、当該アプリケーションの表示先が、第１の液晶タッチパネル装置１０５及び第２液晶タッチパネル装置１０８のうちいずれか１つ以上、であることを特定する。
【００４３】
例えば、特定部３１５は、ソフトウェアキーボード３０１の表示先として、第１の液晶タッチパネル装置１０５を特定する。他の例としては、特定部３１５は、動画再生ソフトウェアの表示先として、第１の液晶タッチパネル装置１０５及び第２の液晶タッチパネル装置１０８を特定する。
【００４４】
入力受付部３１１は、ＥＣ／ＫＢＣ３０７を介して、第１の液晶タッチパネル装置１０５及び第２液晶タッチパネル装置１０８の表示画面に対する入力を受け付ける。そして、入力受付部３１１は、受け付けた入力を、制御部３１３等に対して出力する。
【００４５】
電源情報取得部３１２は、パーソナルコンピュータ１００に対して電力を供給している電源装置２０９のバッテリ残量を取得する。
【００４６】
制御部３１３は、表示されたアプリケーションの性質に基づいて、特定部３１５が特定したアプリケーションの表示先である、表示画面について個別に輝度制御する。
【００４７】
アプリケーションの性質とは、当該アプリケーション固有の特徴を意味し、例えば、当該アプリケーションの機能や利用態様なども含まれる。
【００４８】
例えば、ソフトウェアキーボード３０１は、ユーザが当該ソフトウェアキーボード３０１画面においてキーの配置のみ認識できる程度であればよいという性質に基づいて、輝度を調整することとなる。他の例としては、動画再生ソフトウェアにおいては、動画の表示画面では、輝度を高く保持する必要があるが、操作しない間は操作画面をユーザは参照しないという性質があるため、当該操作画面の操作等が行われていない間は、輝度を下げるなどの調節が行われることになる。
【００４９】
例えば、制御部３１３は、表示されたアプリケーションが、第１の液晶タッチパネル装置１０５及び第２の液晶タッチパネル装置１０８のうちいずれか一つのみを表示先とする場合、当該表示先の表示画面のみ輝度制御する。
【００５０】
他の例としては、特定部３１５が、表示されたアプリケーションが、第１の液晶タッチパネル装置１０５及び第２の液晶タッチパネル装置１０８の両方を表示先とする場合、表示されたアプリケーションの性質に基づいて、表示先のうちいずれか１つの表示画面に対して輝度制御する。
【００５１】
また、制御部３１３は、アプリケーションに対する輝度制御を行う際に、記憶装置２０７に記憶された設定ファイルに従って、輝度制御を行うこととする。すなわち、制御部３１３は、各“アプリケーション”が所定の“動作”を行った場合に、設定ファイルで対応づけられた“制御対象”に対して、設定ファイルで対応付けされた“輝度制御”を行うこととする。
【００５２】
制御部３１３は、電源情報取得部３１２が取得した残量情報に基づいて、前記アプリケーションの表示先である、表示画面について個別に輝度制御する。
【００５３】
制御部３１３は、表示画面の輝度を制御した後、入力受付部３１１が入力を受け付けた場合に、輝度制御された表示画面に対して、再び輝度制御を行う。
【００５４】
例えば、電源情報取得部３１２が取得したバッテリ残量の低下に伴い、制御部３１３が輝度を下げた場合、入力受付部３１１から入力操作が行われた場合に、制御部３１３が輝度を上げるなどの制御を行うことが考えられる。
【００５５】
設定部３１４は、記憶装置２０７に記憶された設定ファイルに対する設定を行う。つまり、設定部３１４は、設定ファイルに対して、アプリケーション毎の動作と、当該動作が行われた場合の制御先と、実行される輝度調整と、を対応づけて設定する。
【００５６】
図７は、設定ファイルを設定するための設定部３１４が表示する表示画面の例を示した図である。図７に示すように、設定部３１４は、輝度調節の対象となるソフトウェアと、制御先と、動作と、輝度制御と、の入力を利用者から受け付け、受け付けた設定を設定ファイルに登録する。これにより、様々なソフトウェアに対して、表示先毎に個別に輝度制御を行うことが可能となる。
【００５７】
次に、本実施の形態にかかるパーソナルコンピュータ１００のソフトウェアキーボード３０１に関する輝度制御について説明する。図８は、本実施の形態にかかるパーソナルコンピュータ１００における上述した処理の手順を示すフローチャートである。
【００５８】
まず、特定部３１５は、ソフトウェアキーボード３０１の表示が開始された、換言すれば起動したか否かを検出する（ステップＳ８０１）。そして、特定部３１５が、ソフトウェアキーボード３０１の表示の開始を検出した場合（ステップＳ８０１：Ｙｅｓ）、ソフトウェアキーボード３０１の表示先が、第１の液晶タッチパネル装置１０５であることを特定する。
【００５９】
その後、制御部３１３が、第１の液晶タッチパネル装置１０５にソフトウェアキーボード３０１の表示が開始された場合に、制御部３１３は、記憶装置２０７に記憶された設定ファイルを参照し、ソフトウェアキーボード３０１に関する輝度制御の情報を読み込む。そして、制御部３１３は、設定ファイルに従い、ソフトウェアキーボード３０１が起動したことに基づいた、当該ソフトウェアキーボード３０１が表示されている第１の液晶タッチパネル装置１０５の輝度を下げる制御を行う（ステップＳ８０２）。
【００６０】
一方、制御部３１３は、ソフトウェアキーボード３０１が起動していない、つまり既に起動している又はソフトウェアキーボード３０１の実行されていない場合（ステップＳ８０１：Ｎｏ）、起動していたソフトウェアキーボード３０１が終了したか否かを検出する（ステップＳ８０３）。終了していないことを検出した場合（ステップＳ８０３：Ｎｏ）、特に処理を行わずに終了する。
【００６１】
一方、制御部３１３が、起動していたソフトウェアキーボード３０１が終了したことを検出した場合（ステップＳ８０３：Ｙｅｓ）、設定ファイルに従って、ソフトウェアキーボード３０１の表示先である、第１の液晶タッチパネル装置１０５の輝度を上げる制御を行う（ステップＳ８０４）。
【００６２】
上述した処理手順に従って、パーソナルコンピュータ１００において、ソフトウェアキーボード３０１に関する輝度制御が行われる。
【００６３】
次に、本実施の形態にかかるパーソナルコンピュータ１００の動画再生ソフトウェアに関する輝度制御について説明する。図９は、本実施の形態にかかるパーソナルコンピュータ１００における上述した処理の手順を示すフローチャートである。
【００６４】
まず、特定部３１５は、動画再生ソフトウェアの表示が開始された、換言すれば起動したか否かを検出する（ステップＳ９０１）。そして、特定部３１５が、動画再生ソフトウェアの表示の開始を検出しなかった場合（ステップＳ９０１：Ｎｏ）、処理を終了する。
【００６５】
一方、特定部３１５が、動画再生ソフトウェアの表示が開始された、換言すれば起動したことを検出した場合（ステップＳ９０１：Ｙｅｓ）、動画再生ソフトウェアの表示先が、第１の液晶タッチパネル装置１０５及び第２の液晶タッチパネル装置１０８であることを特定する。
【００６６】
その後、制御部３１３が、記憶装置２０７に記憶された設定ファイルを参照し、ソフトウェアキーボード３０１に関する輝度制御の情報を読み込む。そして、制御部３１３は、設定ファイルに従い、動画再生ソフトウェアの操作画面に対して、一定期間中に操作があるか否かを判定する（ステップＳ９０２）。あると判定した場合（ステップＳ９０２：Ｙｅｓ）、再びステップＳ９０２で判定を行う。
【００６７】
一方、一定期間中に操作が無いと判定した場合（ステップＳ９０２：Ｎｏ）、制御部３１３は、操作画面の表示先である、第１の液晶タッチパネル装置１０５のみバックパネルの輝度を下げる制御を行う（ステップＳ９０３）。
【００６８】
その後、入力受付部３１１が、第１の液晶タッチパネル装置１０５等に対して入力操作が行われているか否かを判定する（ステップＳ９０４）。行われていないと判定した場合（ステップＳ９０４：Ｎｏ）、再びステップＳ９０４で判定を行う。
【００６９】
一方、入力受付部３１１が、入力操作が行われていると判定した場合（ステップＳ９０４：Ｙｅｓ）、制御部３１３は、操作画面の表示先である、第１の液晶タッチパネル装置１０５のみバックパネルの輝度を上げる制御を行う（ステップＳ９０５）。
【００７０】
そして、特定部３１５は、起動していた動画再生ソフトウェアの起動が終了したか否かを検出する（ステップＳ９０６）。終了していないと判定した場合（ステップＳ９０６：Ｎｏ）、ステップＳ９０２からの処理を継続して行う。
【００７１】
一方、特定部３１５が、起動していた動画再生ソフトウェアの起動が終了したと判定した場合（ステップＳ９０６：Ｙｅｓ）、処理を終了する。
【００７２】
本実施の形態においては、各アプリケーションの起動が開始された場合や、起動が終了した場合について説明したが、このような状況に制限するものではなく、これらアプリケーションの表示／非表示が切り替えられた場合であればよい。例えば、ソフトウェアキーボード３０１がアイコン化された場合には、まだ起動しているにも拘わらず、輝度を上げる制御を行っても良い。当該アイコン化が解除されソフトウェアキーボード３０１が再表示された場合には、輝度を下げる制御を行っても良い。
【００７３】
本実施の形態にかかるパーソナルコンピュータ１００では、第１の液晶タッチパネル装置１０５及び第２の液晶タッチパネル装置１０８で、複数画面を表示できる。そして、その際、上述した構成を備えることで、第１の液晶タッチパネル装置１０５及び第２の液晶タッチパネル装置１０８が個別に輝度制御が行われる。これにより、ユーザが使用するシチュエーションに応じた輝度制御で、消費電力の低減を実現する。
【００７４】
本実施の形態に係るパーソナルコンピュータ１００では、ソフトウェアキーボード３０１や操作画面が表示される、液晶タッチパネルのバックライトについて輝度を制御する。この輝度制御としては、輝度を下げるほか、バックライトをオフにしても良い。
【００７５】
本実施の形態においては、設定部３１４による設定ファイルに対する設定をユーザが行う例について説明した。しかしながら、ユーザが設定することに制限するものではなく、アプリケーション側で設定ファイルに対して設定を行っても良い。これにより、アプリケーションがインストールされた場合に、当該アプリケーションの性質に応じた輝度制御が自動的に設定されることになる。
【００７６】
また、上述した輝度制御に制限するものではなく、学習アプリケーションにおいて、第２の液晶タッチパネル装置１０８で質問等が表示され、第１の液晶タッチパネル装置１０５で選択肢等が表示される場合に、選択肢の表示時に輝度を上げ、それ以外では輝度を下げるように、輝度設定ユーティリティ３０３が輝度制御を行っても良い。
【００７７】
このように、本実施の形態にかかる輝度設定ユーティリティ３０３は、パーソナルコンピュータ１００で動作するアプリケーションの性質に応じた、様々な輝度制御を行うことができる。
【００７８】
本実施の形態にかかる輝度設定ユーティリティ３０３は、液晶タッチパネル装置毎に、アプリケーションの性質に基づく輝度制御を行うことで、バックパネルの輝度が必要でない場合で消費電力を抑えることができる。
【００７９】
また、本実施の形態にかかるパーソナルコンピュータ１００では、設定部３１４により、設定ファイルに対する輝度調整のための設定が可能である。これにより、ユーザの指定で輝度調節のためのルール設定が容易となった。
【００８０】
これにより、新しいアプリケーションがインストールされた場合に、当該アプリケーションに対する新しい輝度制御を設定することができる。
【００８１】
（第２の実施の形態）
第１の実施の形態にかかるパーソナルコンピュータ１００では、各アプリケーションの表示／非表示に基づいて輝度制御を行う例と、さらにユーザからの操作入力を組み合わせて輝度制御を行う例と、について説明した。しかしながら、このような輝度制御に制限するものではなく、他の条件と組み合わせても良い。
【００８２】
本実施の形態にかかるパーソナルコンピュータ１００では、電源装置２０９のバッテリ残量を組み合わせた例について説明する。なお、第２の実施の形態にかかるパーソナルコンピュータ１００は、第１の実施の形態と同様の構成要素を備えるものとして、説明を省略する。
【００８３】
次に、本実施の形態にかかるパーソナルコンピュータ１００のソフトウェアキーボード３０１に関する輝度制御について説明する。図１０は、本実施の形態にかかるパーソナルコンピュータ１００における上述した処理の手順を示すフローチャートである。
【００８４】
まず、特定部３１５は、ソフトウェアキーボード３０１の表示が開始された、換言すれば起動したか否かを検出する（ステップＳ１００１）。そして、特定部３１５が、ソフトウェアキーボード３０１の表示の開始を検出した場合（ステップＳ１００１：Ｙｅｓ）、ソフトウェアキーボード３０１の表示先が、第１の液晶タッチパネル装置１０５であることを特定する。
【００８５】
その後、制御部３１３が、第１の液晶タッチパネル装置１０５にソフトウェアキーボード３０１の表示が開始された場合に、制御部３１３は、記憶装置２０７に記憶された設定ファイルを参照し、ソフトウェアキーボード３０１に関する輝度制御の情報を読み込む。この設定ファイルにおいては、ソフトウェアキーボード３０１は、起動した後、バッテリ残量が設定値以下になった場合に、輝度を下げる旨設定されていることとする。そこで、電源情報取得部３１２が、電源装置２０９のバッテリ残量を取得する。
【００８６】
そして、制御部３１３は、設定ファイルに従い、バッテリ残量が設定値より小さいか否かを判定する（ステップＳ１００２）。設定値以上と判定した場合（ステップＳ１００２：Ｎｏ）、特に輝度制御を行わずに終了する。
【００８７】
一方、制御部３１３は、バッテリ残量が設定値より小さいと判定した場合（ステップＳ１００２：Ｙｅｓ）、ソフトウェアキーボード３０１が表示されている第１の液晶タッチパネル装置１０５の輝度を下げる制御を行う（ステップＳ１００３）。
【００８８】
一方、制御部３１３は、ソフトウェアキーボード３０１が起動していない、つまり既に起動している又はソフトウェアキーボード３０１の実行されていない場合（ステップＳ１００１：Ｎｏ）、起動していたソフトウェアキーボード３０１が終了したか否かを検出する（ステップＳ１００４）。終了していないことを検出した場合（ステップＳ１００４：Ｎｏ）、特に処理を行わずに終了する。
【００８９】
一方、制御部３１３が、起動していたソフトウェアキーボード３０１が終了したことを検出した場合（ステップＳ１００４：Ｙｅｓ）、第１の液晶タッチパネル装置１０５の輝度が下げられているか否かを判定する（ステップＳ１００５）。下げられていないと判定した場合（ステップＳ１００５：Ｎｏ）、特に輝度制御を行わずに終了する。
【００９０】
一方、制御部３１３が、第１の液晶タッチパネル装置１０５の輝度が下げられていると判定した場合（ステップＳ１００５：Ｙｅｓ）、ソフトウェアキーボード３０１の表示先である、第１の液晶タッチパネル装置１０５の輝度を上げる制御を行う（ステップＳ１００６）。
【００９１】
上述した処理手順に従って、パーソナルコンピュータ１００において、ソフトウェアキーボード３０１に関する輝度制御が行われる。
【００９２】
上述した処理手順により、バッテリ残量を組み合わせて、液晶タッチパネル装置の輝度を下げることができる。本実施の形態では、ソフトウェアキーボードが表示されている場合に、バッテリ残量に基づいて、輝度制御を行う例について説明したが、バッテリ残量以外の条件と組み合わせて、輝度制御を行っても良い。
【００９３】
また、バッテリ残量と、アクティブな画面であるか否かなどの表示条件と、を組み合わせて、輝度制御を行っても良い。
【００９４】
第２の実施の形態においては、第１の実施の形態の効果に加えて、設定ファイルに対する、バッテリ残量に関するユーザ設定に基づく輝度制御により、ユーザの必要性（優先度）に応じた消費電力制御を実現できる。
【００９５】
（第３の実施の形態）
本実施の形態においては、ユーザからの操作に基づいて、液晶タッチパネル装置を個別に輝度制御する場合について説明する。なお、第３の実施の形態にかかるパーソナルコンピュータ１００は、第１の実施の形態と同様の構成要素を備えるものとして、説明を省略する。
【００９６】
本実施の形態にかかるパーソナルコンピュータ１００では、省電力状態の場合に、ユーザにより行われた操作に従って、液晶タッチパネル装置を個別に輝度制御する。
【００９７】
次に、本実施の形態にかかるパーソナルコンピュータ１００における、省電力状態から復帰する際の輝度制御について説明する。図１１は、本実施の形態にかかるパーソナルコンピュータ１００における上述した処理の手順を示すフローチャートである。なお、当該処理手順で処理を行うための設定が、設定ファイルになされているものとする。
【００９８】
まず、パーソナルコンピュータ１００では、ソフトウェアキーボード３０１が起動した後、何ら操作が行われなかったため、省電力状態に移行する（ステップＳ１１０１）。
【００９９】
その後、入力受付部３１１が、第１液晶タッチパネル装置１０５又は第２液晶タッチパネル装置１０８に対して、１クリックがなされたか否かを判定する（ステップＳ１１０２）。１クリックが無いと判定した場合（ステップＳ１１０２：Ｎｏ）、処理を終了する。
【０１００】
入力受付部３１１が、１クリックがあったと判定した場合（ステップＳ１１０２：Ｙｅｓ）、制御部３１３は、ソフトウェアキーボード３０１の表示先ではない、第２の液晶タッチパネル装置１０８に限り、表示画面の輝度を上げる（ステップＳ１１０３）。
【０１０１】
その後、入力受付部３１１が、さらに１クリックがなされたか否かを検出する（ステップＳ１１０４）。１クリックがなされていないと判定した場合（ステップＳ１１０４：Ｎｏ）、処理を終了する。
【０１０２】
入力受付部３１１が、１クリックがあったと判定した場合（ステップＳ１１０４：Ｙｅｓ）、制御部３１３は、ソフトウェアキーボード３０１の表示先である、第１の液晶タッチパネル装置１０５の表示画面の輝度を上げる（ステップＳ１１０５）。
【０１０３】
上述した処理手順により、簡単なユーザ操作による画面の復帰時の制御が可能となる。
【０１０４】
上述した実施の形態では、パーソナルコンピュータ１００が、２個の液晶タッチパネル装置を備える例について説明した。しかしながら、２個に制限するものではなく３個以上備えても良い。
【０１０５】
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。
【符号の説明】
【０１０６】
１００  パーソナルコンピュータ
３０１  ソフトウェアキーボード
３０２  アプリケーション
３０３  輝度設定ユーティリティ
３０４  ＨＩＤドライバ
３０５  ＢＩＯＳＩ／Ｆドライバ
３０６  ＢＩＯＳ
３１１  入力受付部
３１２  電源情報取得部
３１３  制御部
３１４  設定部
３１５  特定部
【図１】
2012013942.tif 000003
【図２】
2012013942.tif 000004
【図３】
2012013942.tif 000005
【図４】
2012013942.tif 000006
【図５】
2012013942.tif 000007
【図６】
2012013942.tif 000008
【図７】
2012013942.tif 000009
【図８】
2012013942.tif 000010
【図９】
2012013942.tif 000011
【図１０】
2012013942.tif 000012
【図１１】
2012013942.tif 000013
【手続補正書】
【提出日】平成23年8月26日(2011.8.26)
【手続補正１】
【補正対象書類名】特許請求の範囲
【補正対象項目名】全文
【補正方法】変更
【補正の内容】
【特許請求の範囲】
【請求項１】
輝度の調節が可能な表示画面をそれぞれ有する複数の表示手段と、
ユーザから操作を受け付ける操作受付アプリケーションの表示先が、複数の前記表示手段のうちいずれか１つ以上であることを特定する特定手段と、
前記表示手段の表示画面に対する、入力を受け付ける受付手段と、
自装置が省電力状態のときに、複数の前記表示手段のうちいずれかの前記表示画面について前記受付手段が入力を受け付けた場合、前記特定手段により特定された前記操作受付アプリケーションの表示先である前記表示手段と比べて、前記操作受付アプリケーションの表示先ではない前記表示手段の前記表示画面に対して輝度を上げる制御を行う制御手段と、
を備える輝度制御装置。
【請求項２】
前記制御手段は、複数の前記表示手段のうちいずれかに対する入力が一回検出された場合、前記特定手段により特定された前記操作受付アプリケーションの表示先である前記表示手段と比べて、前記操作受付アプリケーションの表示先ではない前記表示手段に対して輝度を上げ、複数の前記表示手段のうちいずれかに対する入力が２回以上検出された場合、前記特定手段により特定された前記操作受付アプリケーションの表示先である前記表示手段に対しても輝度を上げる制御する、
請求項１に記載の輝度制御装置。
【請求項３】
輝度制御装置で実行される輝度制御方法であって、
前記輝度制御装置が、輝度の調節が可能な表示画面をそれぞれ有する複数の表示手段を備え、
特定手段が、ユーザから操作を受け付ける操作受付アプリケーションの表示先が、複数の前記表示手段のうちいずれか１つ以上であることを特定する特定ステップと、
受付手段が、前記表示手段の表示画面に対する、入力を受け付ける受付ステップと、
制御手段が、自装置が省電力状態のときに、複数の前記表示手段のうちいずれかの前記表示画面について前記受付手段が入力を受け付けた場合、前記特定手段により特定された前記操作受付アプリケーションの表示先である前記表示手段と比べて、前記操作受付アプリケーションの表示先ではない前記表示手段の前記表示画面に対して輝度を上げる制御を行う制御ステップと、
を有する輝度制御方法。
【請求項４】
前記制御ステップは、複数の前記表示手段のうちいずれかに対する入力が一回検出された場合、前記特定手段により特定された前記操作受付アプリケーションの表示先である前記表示手段と比べて、前記操作受付アプリケーションの表示先ではない前記表示手段に対して輝度を上げ、複数の前記表示手段のうちいずれかに対する入力が２回以上検出された場合、前記特定手段により特定された前記操作受付アプリケーションの表示先である前記表示手段に対しても輝度を上げる制御する、
請求項３に記載の輝度制御方法。
【請求項５】
輝度の調節が可能な表示画面をそれぞれ有する複数の表示手段を備えたコンピュータに対して、
ユーザから操作を受け付ける操作受付アプリケーションの表示先が、複数の前記表示手段のうちいずれか１つ以上であることを特定する特定ステップと、
受付手段が、前記表示手段の表示画面に対する、入力を受け付ける受付ステップと、
自装置が省電力状態のときに、複数の前記表示手段のうちいずれかの前記表示画面について前記受付手段が入力を受け付けた場合、前記特定手段により特定された前記操作受付アプリケーションの表示先である前記表示手段と比べて、前記操作受付アプリケーションの表示先ではない前記表示手段の前記表示画面に対して輝度を上げる制御を行う制御ステップと、
を実行させるための輝度制御プログラム。 
【請求項６】
前記制御ステップは、複数の前記表示手段のうちいずれかに対する入力が一回検出された場合、前記特定手段により特定された前記操作受付アプリケーションの表示先である前記表示手段と比べて、前記操作受付アプリケーションの表示先ではない前記表示手段に対して輝度を上げ、複数の前記表示手段のうちいずれかに対する入力が２回以上検出された場合、前記特定手段により特定された前記操作受付アプリケーションの表示先である前記表示手段に対しても輝度を上げる制御する、
請求項５に記載の輝度制御プログラム。 
【手続補正２】
【補正対象書類名】明細書
【補正対象項目名】０００８
【補正方法】変更
【補正の内容】
【０００８】
実施形態の輝度制御装置は、複数の表示手段と、特定手段と、受付手段と、制御手段と、を備える。複数の表示手段は、輝度の調節が可能な表示画面をそれぞれ有する。特定手段は、ユーザから操作を受け付ける操作受付アプリケーションの表示先が、複数の前記表示手段のうちいずれか１つ以上であることを特定する。受付手段は、前記表示手段の表示画面に対する、入力を受け付ける。制御手段は、自装置が省電力状態のときに、複数の前記表示手段のうちいずれかの前記表示画面について前記受付手段が入力を受け付けた場合、前記特定手段により特定された前記操作受付アプリケーションの表示先である前記表示手段と比べて、前記操作受付アプリケーションの表示先ではない前記表示手段の前記表示画面に対して輝度を上げる制御を行う。